(57)【要約】      （修正有）【課題】リサイクルされた植物性廃油に含まれる水分の含量の多さによって燃焼焼効率が落ち、完全燃焼化に支障をきたすことがあるので、燃焼に優位性のある鉱物性廃油と植物性廃油とを複合燃焼させることによって、双方の廃油の完全燃焼化を図り、その熱エネルギーを小工場，一般家庭等の自家設備用、あるいは、農業用ハウスの補助暖房や災害時の緊急設備用として好適に使用できる自然燃焼式廃油燃却装置を提供する。【解決手段】燃料室１の底面に半球状の植物性廃油の燃料ガス化亢進用カップ１７と、燃焼室の正面上部に２穴連動式吸気口６と燃焼室の上面中央開口から立ち上がる燃料筒２の上に連通状態に設置される環流室３に連通する還流パイプ１０、１０ａとを備える。【選択図】図２
0003230746.tif 000002
【実用新案登録請求の範囲】
【請求項１】
燃焼室に植物性廃油と鉱物性廃油の２本の流入パイプを配置し、前記燃焼室の底面に植物性廃油の燃焼ガス化亢進用カップを備えることを特徴とする自然燃焼式廃油焼却装置。
【請求項２】
前記燃焼室の前部上面に２穴連動式吸気口を備えているが、前記燃焼室内の燃焼ガスの燃焼効果を更に高める場合には、前記２穴連動式吸気口を３穴以上の連動式吸気口に切り替えることができることを特徴とする請求項１に記載の自然燃焼式廃油焼却装置。
【請求項３】
前記燃焼室の上面中央開口から立ち上がる燃焼筒周面に、縦方向に密着させた還流パイプを備えることを特徴とする請求項２に記載の自然燃焼式廃油焼却装置
【考案の詳細な説明】
【技術分野】
【０００１】  廃油の焼却装置に関する
【背景技術】
【０００２】  廃油の焼却には、不完全燃焼による黒煙や有害物質が発生しやすいので、それを防止するための廃油焼却装置として種々提案されているが、その多くは、燃焼室に給気装置を備えた比較的大型のものであり、設備コストと運転コストがかかるため、小規模な工場や一般家庭等の自家設備としては適さない。
【先行技術文献】
【０００３】
【特許文献１】特許第５１０９２０４号
【特許文献２】実用新案登録第３１５６１３７号
【考案の概要】
【０００４】  ファンによる給気機構等の動力を用いない堅牢でシンプルな燃焼構造を有し、環境リサイクル燃料としての鉱物性廃油および植物性廃油を同時に焼却し、これから得た熱源をこの焼却装置に付帯している加熱液体循環装置に伝導できる構造を有するので、小工場，一般家庭等の自家設備用、あるいは、農業用ハウスの補助暖房や災害時の緊急設備などへのエネルギーの供給に役立つことを特徴とする自然燃焼式廃油焼却装置。
【考案が解決しようとする課題】
【０００５】  リサイクルされた植物性廃油に含まれる水分の含量の多さによって燃料効率が落ち、完全燃焼化に支障をきたすことがあるので、燃焼に優位性のある鉱物性廃油と植物性廃油とを好適な条件を備えることによって複合燃焼させ、双方の廃油の完全燃焼化を図り、その熱エネルギーを小工場，一般家庭等の自家設備用、あるいは、農業用ハウスの補助暖房や災害時の緊急設備用として有効な自然燃焼式廃油焼却装置を提供することを課題とする。
【課題を解決するための手段】
【０００６】  上記課題を解決するために、燃焼室に植物性廃油と鉱物性廃油の２本の廃油流入パイプを装置し、前記燃焼室の底面に植物性廃油の燃焼ガス化亢進用カップを備えることを特徴とする自然燃焼式廃油焼却装置である。【０００７】前記焼却室の前部上面の焼却筒の底部と焼却室点検及び掃除開閉蓋との中間に２穴連動式吸気口、または、３穴以上の連動式吸気口が備え付けられる。【０００８】  前記燃焼室の上面中央開口から立ち上がる前記燃焼筒の周面に、燃焼筒密着還流パイプが装着される。
【考案の効果】
【０００９】  本考案に係る自然燃焼式廃油焼却装置は、堅牢でシンプルな構成で価格も廉価で供給でき、不要な廃油を熱エネルギーとしてリサイクルできることで、環境の保全に役立つとともに、小工場、一般家庭等の自家設備用、あるいは、農業用ハウスの補助暖房や災害時の緊急設備用としても有効である。【００１０】請求項１及び２に記載の考案において、植物性廃油と鉱物性廃油とを至適に複合燃焼させるための燃焼ガス化亢進装と２穴連動式吸気口、または、３穴以上の連動式吸気口を有し、双方の廃油を完全燃焼させることができるので黒煙や有害物質を発生することがない。
【図面の簡単な説明】
【００１１】
【図１】本考案の実施形態における斜視図である。
【図２】図１に示す実施形態における燃焼室の透視図である。
【図３】本考案の作用を示す縦断面図である。
【考案を実施するための形態】
【００１２】  本考案を実施するための好ましい形態について、添付図面に依拠して説明する。本考案に係る自然燃焼式廃油焼却装置の実施形態においては、該装置は、燃焼室１の上面中央閉口から立ち上る燃焼筒２と、燃焼筒２の上に設置される還流室３と、燃焼室１とを連通する支持柱兼用還流パイプ９，９ａおよび燃焼筒密着還流パイプ１０，１１ａの装着と、還流室３に設置される加熱液体送り出し室４と排気筒５とから成る。
【００１３】  燃焼室１は、複数の脚８，８ａを有する容体で、上面に燃焼室点検及び掃除用開閉蓋７が設けられる。燃焼室１には、植物性廃油タンク１５からの植物性廃油流入パイプ１６と、鉱物性廃油タンク２０からの鉱物性廃油流入パイプ２１が取り付けられ、植物性廃油は燃料室１の底部に位置する植物性廃油燃料ガス化亢進用カップ１７に流し込まれ、鉱物性廃油は燃料室１の底部２２に流し込まれる。また燃焼室１の上面端部には、２穴連動式吸気口６，６ａが備え付けられる。
【００１４】初期の点火は、燃焼室１の底部に流入した鉱物性廃油から行ない、燃焼室１の内部燃焼温度を高めながら、燃焼室１の上面端部にある２穴連動式吸気口（または、３穴以上の連動式吸気口）６，６ａを徐々に開口することにより、導入空気量が増し火勢が強まる。この火勢の強まりに伴って燃料筒２内に負圧が生じ、燃焼筒空気孔１１，１１ａからも強く外気が吸入されるようになる．。
【００１５】  このことによる、火勢の強まりが植物性廃油燃焼ガス化亢進カップ１７を灼熱化し、燃焼ガスと空気の接触効率も高まり、鉱物性廃油とともに植物性廃油も完全燃焼することになる。
【００１６】  以上の作用は、ファン等の動力による給気なしに、燃料室１内の廃油がなくなって火勢が衰えるまで自動的に行われる。
【実施例】１【００１７】  以下、添付図面に従って、農業用ハウス内の補助暖房設備における実施例を説明する。植物性廃油１８と鉱物性廃油２２を、燃焼室１および燃焼筒２で高温燃焼させ、燃焼室１に連通する加熱液体還流装置で熱せられた液体が、還流室３を経て、加熱液体送り出し室４で加圧され、加熱液体貯留タンク２３に送り込まれる。次いで、この加熱液体が連通している農業用ハウス内の加熱液体保温槽に送られて、農業用ハウス内の暖房設備と連通し、暖房エネルギーとして稼働する。
【産業上の利用可能性】
【００１８】  本考案に係る装置は、いずれの実施形態においても何の動力も要せずに、自然力によって完全燃焼を図ることができ、装置そのものがコンパクトで構成簡易であるので低価格で生産できることと、植物性廃油や鉱物性廃油を燃料とするので燃料コストもかからないことから、小工場や一般家庭における廃油燃焼装置として、また、農業用ハウス内における補助暖房設備として、あるいは、災害時における緊急設備等に利用されるのに好適であり、今後、本装置は産業上有望である。
【符号の説明】
【００１９】１、  燃焼室
２、  燃焼筒
３、  還流室
４、  加熱液体送り出し室
５、  排気筒
６、  ２穴連動式吸気口
６ａ、２穴連動式吸気口
７、  燃焼室点検及び掃除用開閉蓋
８、  脚
８ａ、脚
９、  支持柱兼用還流パイプ
９ａ、支持柱兼用還流パイプ
１０、燃焼筒密着還流パイプ
１０ａ、燃焼筒密着還流パイプ
１１、燃焼筒吸気孔
１１ａ、燃焼筒吸気孔
１２、還流室内壁部加熱液体還流層
１２ａ、還流室内壁部加熱液体還流層
１３、加熱液体送り出し室内壁還流層
１３ａ、加熱液体送り出し室内壁還流層
１４  加熱液体貯留タンク流入パイプ
１５、植物性廃油タンク
１６、植物性廃油流入パイプ
１７、植物性廃油燃焼ガス化亢進用カップ
１８、植物性廃油
１９、植物性廃油オーバーフロー時流出パイプ
２０、鉱物性廃油タンク
２１、鉱物性廃油流入パイプ
２２、鉱物性廃油
２３、加熱液体貯留タンク
２４、加熱液体保温槽流入パイプ
２５、加熱液体貯留タンク流入パイプ
２６、燃焼室上部加熱液体還流層流入パイプ
２７、廃油タンク台座
【図１】
0003230746.tif 000003
【図２】
0003230746.tif 000004
【図３】
0003230746.tif 000005
【手続補正書】
【提出日】令和2年11月25日(2020.11.25)
【手続補正１】
【補正対象書類名】実用新案登録請求の範囲
【補正対象項目名】請求項２
【補正方法】変更
【補正の内容】
【請求項２】
前記燃焼室の前部上面に２穴連動式吸気口を備えていることを特徴とする請求項１に記載の自然燃焼式廃油焼脚装置